(57)【要約】【課題】遊技機において、特別図柄表示装置における演出効果を向上させ、興趣を向上させる。【解決手段】遊技盤の前面に設けられた遊技領域に、識別情報を可変表示可能な特別図柄表示装置を設けた遊技機において、特別図柄表示装置の前面に、それぞれ色と比重が異なり、かつ、少なくとも一つは光透過性を有する２種類の液体４５Ａ，４５Ｂが封入されている正面視円形の収容空間４０を備える光透過性部材からなる回転盤２８を配置し、収容空間４０の内周壁の周方向に沿って同一方向に開口する袋状のフィン４１を、間隔をおいて複数個設け、回転盤２８を前後方向に向く軸線まわりに回転させて袋状のフィン４１をそれぞれの液体４５Ａ，４５Ｂ内を通すことにより、フィン４１から放出される一方の液体４５Ｂにより、光透過性を有する他方の液体４５Ａ内に、一方の液体４５Ｂの粒５８を発生させるようにする。  【選択図】  図４
2006116102.tif 000002
【特許請求の範囲】
【請求項１】
遊技盤の前面に設けられた遊技領域に、識別情報を可変表示可能な特別図柄表示装置を設けた遊技機において、
前記特別図柄表示装置の前面に、それぞれ色と比重が異なり、かつ、少なくとも一つは光透過性を有する２種類以上の液体が封入されている正面視円形の収容空間を備える光透過性部材からなる回転盤を配置し、前記収容空間の内周壁の周方向に沿って開口する袋状のフィンを、間隔をおいて複数個設け、前記回転盤を前後方向に向く軸線まわりに回転させて前記袋状のフィンをそれぞれの液体内を通すことにより、前記フィンから放出される一方の液体により、光透過性を有する他方の液体内に、前記一方の液体の粒を発生させるようにしたことを特徴とする遊技機。
【請求項２】
光透過性を有する液体内に、該液体よりも比重が小さく、かつ色の異なる液体を放出させるようにしたことを特徴とする請求項１記載の遊技機。
【請求項３】
光透過性を有する液体内に、該液体よりも比重が大きく、かつ色の異なる液体を放出させるようにしたことを特徴とする請求項１記載の遊技機。
【請求項４】
回転盤の収容空間におけるフィンの内周に沿って、複数の補助フィンを間隔をおいて設けたことを特徴とする請求項１〜３のいずれかに記載の遊技機。
【請求項５】
回転盤の背後に、収容空間を照明する発光源を配置したことを特徴とする請求項１〜４のいずれかに記載の遊技機。
【請求項６】
回転盤の収容空間に、各液体と比重が異なる小片を前記各液体とともに封入したことを特徴とする請求項１〜５のいずれかに記載の遊技機。
【発明の詳細な説明】
【技術分野】
【０００１】
本発明は、遊技盤の前面に設けられる遊技領域に識別情報を可変表示可能な特別図柄表示装置を設けた遊技機に関する。
【背景技術】
【０００２】
従来、遊技機として、遊技盤の遊技領域に、複数の図柄（識別情報）を可変表示可能な表示装置（以下、特別図柄表示装置と称す）を設けたパチンコ機が知られている。
この種の特別図柄表示装置は、液晶画面で構成される表示部に表示される図柄列の組合せが、予め定められた表示態様、例えば３個の図柄のうち、２個の図柄が同一図柄で確定表示され、残りの１個の図柄が、前記２個の図柄と同一図柄で確定表示されることにより、大当りの可能性がある、いわゆるリーチ状態になると、表示部に特別のキャラクタを出現させたり、背景の色彩、形態等を変化させたりする等して、リーチ状態のときの演出効果を高めるように、種々工夫されている。
【０００３】
このような演出効果をより高めるために、特別図柄表示装置の前面に、識別情報を透視可能な液体注入容器を配置するとともに、液体注入容器内の液体を波立たせる波発生装置を設けたものがある（例えば、特許文献１参照）。
【特許文献１】特開２００３−２４５４２９号公報
【発明の開示】
【発明が解決しようとする課題】
【０００４】
しかし、特許文献１に記載されているものでは、電磁石や振動板等、波発生のための複雑な機構を必要とする課題があった。また、液体を波立たせることはできても、液体内に変化を持たせるような演出効果はなく、直ぐに飽きられ、興趣の低下を招いてしまうおそれがあった。
【０００５】
本発明は、上述のような従来の課題を解決するためになされたものであって、遊技盤の前面に設けられる遊技領域に識別情報を可変表示可能な特別図柄表示装置を設けた遊技機において、簡単な構成で特別図柄表示装置の演出効果をより向上させ、興趣をさらに向上させるようにした遊技機を提供することにある。
【課題を解決するための手段】
【０００６】
本発明によると、上記課題は、次のようにして解決される。
（１）遊技盤の前面に設けられた遊技領域に、識別情報を可変表示可能な特別図柄表示装置を設けた遊技機において、前記特別図柄表示装置の前面に、それぞれ色と比重が異なり、かつ、少なくとも一つは光透過性を有する２種類以上の液体が封入されている正面視円形の収容空間を備える光透過性部材からなる回転盤を配置し、前記収容空間の内周壁の周方向に沿って開口する袋状のフィンを、間隔をおいて複数個設け、前記回転盤を前後方向に向く軸線まわりに回転させて前記袋状のフィンをそれぞれの液体内を通すことにより、前記フィンから放出される一方の液体により、光透過性を有する他方の液体内に、前記一方の液体の粒を発生させる。
【０００７】
(２)上記(１)項において、光透過性を有する液体内に、該液体よりも比重が小さく、かつ色の異なる液体を放出させる。
【０００８】
(３)上記(１)項において、光透過性を有する液体内に、該液体よりも比重が大きく、かつ色の異なる液体を放出させる。
【０００９】
(４)上記(１)〜(３)項のいずれかにおいて、回転盤の収容空間におけるフィンの内周に沿って、複数の補助フィンを間隔をおいて設ける。
【００１０】
(５)上記(１)〜(４)項のいずれかにおいて、回転盤の背後に、収容空間を照明する発光源を配置する。
【００１１】
(６)上記(１)〜(５)項のいずれかにおいて、回転盤の収容空間に、各液体と比重が異なる小片を前記各液体とともに封入する。
【発明の効果】
【００１２】
本発明によると、次のような効果を奏することができる。
(ａ)請求項１記載の発明によれば、回転盤内の液体に粒を発生させることによって、従来の特別図柄表示装置だけでは演出することができなかった立体的な演出効果を可能にし、演出効果を向上させて、輿趣の向上を図ることができる。また、回転盤を回転させるだけで、フィンから放出される比重の異なる一方の液体により、光透過性を有する他方の液体内に粒を発生させることができるので、簡単な構成で液体内に粒を発生させることができる。
【００１３】
(ｂ)請求項２記載の発明によれば、比重の大きな光透過性を有する液体内を、比重の小さな液体の粒が昇って行くことにより、演出効果をより向上させることができる。
【００１４】
(ｃ)請求項３記載の発明によれば、比重の小さな光透過性を有する液体内に、比重の大きな液体の粒が沈んで行くことにより、演出効果をより向上させることができる。
【００１５】
(ｄ)請求項４記載の発明によれば、補助フィンを設けたことにより、細かく砕かれた微細な液体の粒を作ることができる。
【００１６】
(ｅ)請求項５記載の発明によれば、液体を任意の色彩に照明して、変化に富んだ演出を行うことができる。
【００１７】
(ｆ)請求項６記載の発明によれば、小片が液体内を沈んで行く、または、昇って行くことにより、演出効果をより向上させることができる。
【発明を実施するための最良の形態】
【００１８】
（第１の実施形態）
以下、本発明の実施形態を、図面に基づいて説明する。
図１は、本発明の第１の実施形態における遊技機の一部分を構成する遊技盤(10)の正面図である。
【００１９】
遊技盤(10)は、外側ガイドレール(11)と内側ガイドレール(12)とによって包囲された円形状の遊技領域(13)を前面に備え、遊技者の操作により、図外の発射装置から発射された遊技球が、遊技領域(13)を転動することにより、遊技が行われる。
【００２０】
なお、遊技領域(13)には、遊技釘が多数配置され、遊技球は、遊技釘に当接することにより、転動することになるが、該遊技釘は、図面簡素化のため省略してある。
【００２１】
遊技領域(13)の中央部には、特別図柄表示装置(14)が配置されている。特別図柄表示装置(14)は、識別情報をなす「０」〜「９」の数字で構成される１０種類の左、中、右３列の図柄(6a)(6b)(6c)、およびキャラクタ等を表示可能に構成されている。なお、識別情報は、数字のみに特定されるものではなく、他の図柄や色であっても良い。
【００２２】
所定の確率（例えば３５０分の１）に基づいて、特別図柄表示装置(14)に確定表示された図柄(6a)(6b)(6c)が、予め定められた表示態様、例えば図１に示すように、「３、３、３」のように同一の数字が表示された場合に、遊技者にとって有利な遊技状態として特賞状態を生起させ、後述の変動入賞装置(18)を、遊技者にとって有利な状態に変動させ、遊技者に所定の遊技価値を付与することになる。
【００２３】
また、特別図柄表示装置(14)に確定表示された各図柄(6a)(6b)(6c)が、「７、７、７」のように奇数で表示された場合には、さらに特賞状態が生起される確率を、特賞状態が所定回数（例えば１回）生起するまで向上させるようにしてある。
【００２４】
この確率向上期間中に、特別図柄表示装置(14)に確定表示された各図柄(6a)(6b)(6c)が、再び「７、７、７」のように奇数で表示された場合には、さらに確率向上期問は延長される。
【００２５】
さらに、特別図柄表示装置(14)は、表示状態が変化している最中に、すなわち各図柄(6a)(6b)(6c)が変動表示している最中に、所定の確率に基づいて、キャラクタ（図示せず）を表示することも可能である。
【００２６】
特別図柄表示装置(14)の下方には、特別図柄始動口(15)が配置され、また特別図柄始動口(15)の両側方には、普通図柄作動ゲート(16)が配置されている。
【００２７】
遊技球が特別図柄始動口(15)に入賞すると、所定の確率に基づいて、特賞状態を生起するか否かが判定され、その判定の結果をもって、特別図柄表示装置(14)の図柄(6a)(6b)(6c)を変動させ、その後に所定の図柄(6a)(6b)(6c)を確定表示させる。
【００２８】
また、遊技球が普通図柄作動ゲート(16)を通過すると、所定の確率に基づいて、準特賞状態を生起するか否かが判定され、その判定の結果をもって、特別図柄表示装置(14)の上方に配置された普通図柄表示装置(17)を変動させ、その後に所定の図柄を確定表示させる。
【００２９】
普通図柄表示装置(17)は、それぞれＬＥＤで構成される普通図柄表示領域(17a)(17b)が、交互に点灯を繰返す表示を行い、所定の確率に基づいて、交互に点灯表示を繰返す普通図柄が、予め定められた表示態様として普通図柄表示領域(17a)が点灯表示された場合に、準特賞状態を生起させ、特別図柄始動口(15)の左右の可動片(15a)(15b)を所定時間開放し、遊技球が特別図柄始動口(15)に入賞しやすくなる。図１では、可動片(15a)(15b)が開放した状態を示してある。
【００３０】
遊技領域(13)の下方には、変動入賞装置(18)が配置されている。変動入賞装置(18)は、特賞状態期間中に広幅の扉が前面側に開放され、遊技球が入賞可能な状態となる大入賞口(19)を備えている。
【００３１】
大入賞口(19)の扉が開放されている状態や、開閉を繰り返している状態で、遊技球が入賞可能な状態を、遊技者にとって有利な第１状態という。この第１状態以外の状態、つまり大入賞口(19)の扉が閉鎖されて、遊技球が入賞不可能な状態を、遊技者にとって不利な第２状態という。
【００３２】
その他、遊技領域(13)には、遊技釘とともに遊技球の転動方向を変化させるランプ付き風車(20)、遊技球を遊技盤(10)の裏面に送るアウトロ(21)、およびランプ表示装置(22)等が配置されている。
【００３３】
図２は、図１のII−II線に沿う縦断面図、図３は、液体の粒発生装置の分解斜視図、図４は回転盤の正面図である。
【００３４】
図２に示すように、特別図柄表示装置(14)は、図柄(6a)(6b)(6c)を表示させるための液晶表示装置(25)と、この液晶表示装置(25)の前面に設けられた液体の粒発生装置(26)とを備えている。
【００３５】
図３に示すように、液体の粒発生装置(26)は、支持フレーム(27)と、この支持フレーム(27)に回転自在に支持された回転盤(28)とを備えたものである。
【００３６】
支持フレーム(27)は、遊技盤(10)の背面に取り付けられるとともに、長方形の窓(29)が形成されている取付フレーム(30)に環状フレーム(31)が一体に設けられたもので、取付フレーム(30)における窓(29)内に液晶表示装置(25)が取り付けられるようになっている。
【００３７】
図３、図４に示すように、回転盤(28)は、円盤本体(32)と、この円盤本体(32)の前面に固着される蓋体(33)とを有し、円盤本体(32)と蓋体(33)との間に密閉された収容空間(40)を形成している。なお、円盤本体(32)及び蓋体(33)は、アクリル等の光透過性の合成樹脂材で成形される。
【００３８】
円盤本体(32)の前面には、環状リブ(34)で囲まれるとともに、前面が蓋体(33)により閉塞される凹部(35)が形成され、かつ、同じく前面外周には、円盤本体(32)の外周端面(32a)より若干径の小さい歯車部(36)が形成されている。なお、収容空間(40)は、外周が環状リブ(34)で囲まれ、かつ前面が蓋体(33)に閉塞された凹部(35)に形成される。また、蓋体(33)は、環状リブ(34)の前端面に超音波溶接または接着等により固着される。
【００３９】
環状リブ(34)の内壁には、円周方向に沿って多数のフィン(41)が等間隔に設けられている。フィン(41)は、図４に示すように、時計廻り方向(図４に示す矢印Ａと反対の方向)の端部が環状リブ(34)の内壁と一体に形成されるとともに、反時計廻り方向(図４に示す矢印Ａの方向)の端部に同一方向に向く開口部(42)が形成されるとともに、前後縁が円盤本体(32)および蓋体(33)に密着した袋状のものである。隣り合う各フィン(41)の間には仕切突片(43)が形成されている。また、フィン(41)および仕切突片(43)の近傍の内周側には、円周方向に沿って、補助フィン(44)が不規則な間隔をおいて多数設けられている。
【００４０】
回転盤(28)の収容空間(40)には、互いに色と比重が異なる２種類の第１、２液体(45A)(45B)がほぼ満杯に収容されている。第１液体(45A)と第２液体(45B)は、図４に示すように、収容空間(40)内では、比重の大きな第１液体(45A)が下側で比重の小さな第２液体(45B)が上側となり、第１、２液体(45A)(45B)が上下に分離して収容されている。なお、収容空間(40)内で第１液体(45A)と第２液体(45B)とが占める割合は、図４に示すように、ほぼ８：２になるように設定され、また、正面視において、第１液体(45A)が収容空間(40)を占める広さは、少なくとも液晶表示装置(25)の表示領域全面を覆うように設定される。
【００４１】
第１、２液体(45A)(45B)は、例えば水(比重1.00)，ひまし油(比重0.960)，テレピン油(比重0.90)，飽和食塩水(比重1.23)の中から適宜選択される。また、第１液体(45A)には、光透過性を有する液体を使用し、第２液体(45B)は、透明・不透明は限定されないが、第１液体(45A)とハッキリ区別ができるように色を異ならせている。
【００４２】
回転盤(28)は、環状フレーム(31)の内側の３個所に設けられた前後方向に向く軸線回りに回転する２個の鍔付きのロール(47a)(47b)に回転自在に支持されている。すなわち、環状フレーム(31)の底板の３個所に突出された１対の支持ピン(48)に二又状のホルダ(49)を取り付けるとともに、ホルダ(49)の中心に前後方向を向くシャフト(50)を取り付け、このシャフト(50)に２個の鍔付きのロール(47a)(47b)を挿入し、互いに逆方向を向く鍔付きのロール(47a)(47b)間に回転盤(28)の外周の前後縁を回転自在に保持している。
【００４３】
なお、回転盤(28)の組付手順は、最初にシャフト(50)を底板のボス(51)(図２に示す)に挿入した後、シャフト(50)に奥側のロール(47a)を挿入し、次いで、ロール(47a)の内側に回転盤(28)を嵌め込んだ後、前側のロール(47b)をシャフト(50)に挿入し、最後に、ホルダ(49)を支持ピン(48)およびシャフト(50)に挿入する。
【００４４】
取付フレーム(30)の背面には、小型のモータ(52)が取り付けられ、このモータ(52)の回転軸(52a)に取り付けられているピニオン(53)が歯車部(36)に噛み合い、モータ(52)の回転により回転盤(28)は、図４において反時計廻り方向へ回転駆動されるようになっている。取付フレーム(30)の背後には、発光源をなすリング状の発光ダイオード(54)が取り付けられている。
【００４５】
図２に示すように、特別図柄表示装置(14)は、遊技領域(13)におけるパネル(55)の背後に取り付けられている。パネル(55)における表示窓(56)の内周には、飾り枠(57)が取り付けられている。この飾り枠(57)の開口窓(57a)の範囲は、回転盤(28)の中央部であって、かつ第１液体(45A)の層を見ることができるが、第２液体(45B)の層、周囲のフィン(41)、仕切突片(43)および補助フィン(41)の部分を覆い隠すようになっている。飾り枠(57)の開口窓(57a)の下部には、ステージ(60)が設けられている。
【００４６】
次に作用を説明する。
モータ(52)が回転すると、ピニオン(53)、歯車部(36)を介して、回転盤(28)は、図４において反時計廻り方向（矢印Ａ方向）に回転する。これにより、複数のフィン(41)のうち比重の小さな第２液体(45B)内に位置しているフィン(41)の開口部(42)側が、第２液体(45B)の層から比重の大きな第２液体(45A)の層内に侵入し、フィン(41)内に第２液体(45B)が封じ込められた状態で、フィン(41)は下方に移動する。フィン(41)の開口部(42)が真下向きのときは、第２液体(45B)はフィン(41)内に封じ込められた状態を保っているが、開口部(42)がやや横向きになる位置(P1)、(P2)で少しずつ第２液体(45B)が放出され、開口部(42)が徐々に上向きになる位置(P3)、(P4)で大きく放出される。
【００４７】
第２液体(45B)の放出により、色のついた第２液体(45B)の粒(58)が第１液体(45A)内を下から上に移動する。ここでの粒(58)が移動する速さは、第１液体(45A)と第２液体(45B)の比重差で決まり、比重差を大きくすると早く、小さくするとゆっくりになる。また、補助フィン(44)および仕切突片(43)は、フィン(41)から出る第２液体(45B)の粒(58)に衝突し、該粒(58)を細かく砕いて微細粒を作るようにしている。さらに、補助フィン(44)の間隔が不規則であるため、フィン(41)内の第２液体(45B)の放出位置を不規則にして、自然な感じで粒(58)を散乱させることが可能となり、より演出効果を高めることができる。回転盤(28)内で発生する粒(58)は、背後の発光ダイオード(54)で照らされ、興趣をますようになっている。上記したように、第２液体(45B)、フィン(41)、補助フィン(44)および仕切突片(43)の部分は、飾り枠(57)で覆い隠されているので、遊技者には粒(58)のみが見えることになる。
【００４８】
なお、第１液体(45A)および回転盤(28)は、光透過性であれば無色透明に限定されない。例えば、第１液体(45A)および回転盤(28)を透して液晶表示装置(25)の各図柄(6a)(6b)(6c)を見た場合に、各図柄(6a)(6b)(6c)の視認性が悪くならない範囲内で、第１液体(45A)または回転盤(28)を海中に似せるために、青色等の着色を施すことも可能である。
【００４９】
また、「リーチ状態」となって、特別図柄表示装置(14)に表示される各図柄(6a)(6b)(6c)が、予め定められた表示態様となって、大当りが発生する可能性が大の場合には、回転盤(28)を回転駆動させて内部の第１液体(45A)内に粒(58)を発生させ、また、大当りが発生する可能性が小の場合には、回転盤(28)を回転駆動させない。
【００５０】
なお、「リーチ状態」とは、特別図柄表示装置(14)に変動表示される３個の図柄(6a)(6b)(6c)（図１参照）のうち２個の図柄が、同一図柄で確定表示され、残り１個の変動中の図柄が、前記２個の停止図柄と同一図柄で確定表示されることにより、大当りが生起される可能性がある状態を示す。
【００５１】
上述のように作用することによって、特別図柄表示装置(14)に表示される図柄(6a)(6b)(6c)は、粒(58)が発生している第１液体(45A)を透して表示され、立体感のある演出効果が可能になり、遊技者は、大きな期待感をもって、図柄(6a)(6b)(6c)の停止表示を視認しつつ遊技を行うことができ、興趣の向上が図られる。
【００５２】
(第２の実施形態)  
次に、本発明の第２の実施形態における遊技機について図５を参照して説明する。この第２の実施形態は、前述の第１の実施形態が、第２液体(45B)の粒(58)が第１液体(45A)内を下から上に向かって移動するのに対して、図５に示すように、第１液体(45A)の粒(58)が第２液体(45B)内を上から下に向かって移動するようにしたものである。そして、収容空間(40)内に密閉される２種類の第１、２液体(45A)(45B)は、図４に示した第１の実施の形態の場合とは逆に、比重の小さな第１液体(45A)を比重の大きな第２液体(45B)よりも多く設定してある。すなわち、図５に示すように、収容空間(40)内で第１液体(45A)と第２液体(45B)とが占める割合は、ほぼ２：８になるように設定されている。なお、飾り枠(57)の開口窓(57a)の範囲は、第２液体(45B)の層を見ることができるが、第１液体(45A)の層、周囲のフィン(41)、仕切突片(43)および補助フィン(41)の部分を覆い隠すようにしてある点については第１の実施の形態の構造と異っているが、他の構成は図１〜図４と同一であるから、同じ部材には同じ符号を付して重複した説明は省略する。
【００５３】
なお、第２の実施形態でも、第２液体(45B)および回転盤(28)は、光透過性のものであれば無色透明に限定されない。例えば、第２液体(45B)および回転盤(28)を透して液晶表示装置(25)の各図柄(6a)(6b)(6c)を見た場合に、各図柄(6a)(6b)(6c)の視認性が悪くならない範囲内で、第２液体(45B)または回転盤(28)を海中に似せるために、青色等の着色を施すことも可能である。また、第１液体(45A)も、透明・不透明は限定されないが、第２液体(45B)とハッキリ区別ができるように色を異ならせる。
【００５４】
次に作用を説明する。
回転盤(28)が、図５において反時計廻り方向（図５に示す矢印Ａ方向）に回転すると、複数のフィン(41)のうち比重の大きな第１液体(45A)内に侵入しているフィン(41)の開口部(42)側が、第１液体(45A)の層から比重の小さな第２液体(45B)の層内に侵入し、フィン(41)内に第１液体(45A)が封じ込められた状態で、フィン(41)は上方に移動する。フィン(41)の開口部(42)が上向きのときは、第１液体(45A)はフィン(41)内に封じ込められた状態を保っているが、開口部(42)がやや横向きになる位置から下向きになる位置に亘って、第１液体(45A)が少しずつ放出される。
【００５５】
第１液体(45A)の放出により、色のついた第１液体(45A)の粒(58)が第２液体(45B)内を上から下に向かって移動する。ここでの粒(58)の移動する速さは、第１液体(45A)と第２液体(45B)の比重差で決まり、比重差を大きくすると早く、小さくするとゆっくりになる。
【００５６】
この第２の実施形態においても、特別図柄表示装置(14)に表示される図柄(6a)(6b)(6c)は、粒(58)が発生している第２液体(45B)を透して表示され、立体感のある演出効果が可能になり、遊技者は、大きな期待感をもって、図柄(6a)(6b)(6c)の停止表示を視認しつつ遊技を行うことができ、興趣の向上が図られる。
【００５７】
以上、本発明の第１，第２の実施形態について説明したが、本発明の要旨を逸脱しない範囲内で、上記各実施形態に種々の変形や変更を、例えば次のようにして施すことが可能である。
【００５８】
（ｉ）所望の発光色の発光ダイオードを使用して、第１、２液体(45A)(45B)及び粒(58)に色彩を付ける。
【００５９】
（ii）回転盤(28)の回転速度を変化させ、粒(58)の発生に変化を持たせる。
【００６０】
（iii）回転盤(28)の収容空間(40)に、比重の異なる第１、２液体(45A)(45B)とともに異なる色および異なる比重を持つ第３の液体を封入し、速度と色の異なる粒(58)が上から下、あるいは、下から上へと移動する演出を持たせる。このようにすることにより、粒(58)の発生と併せて演出効果をより高めることができる。
【００６１】
（iv）回転盤(28)の収容空間(40)の内部に外側から圧力を加え、収容空間(40)の内部の圧力調整を行い、この圧力調整で粒(58)の移動速度を変化させる。このようにすることにより、粒(58)の発生と併せて演出効果をより高めることができる。
【００６２】
（v）第１の実施形態における回転盤(28)の収容空間(40)に、第１液体(45A)より比重が大きい小片(59A)（図４に示す）を第１、２液体(45A)(45B)とともに封入し、収容空間(40)の底に沈下した小片(59A)を、回転盤(28)の回転に伴ってフィン(41)内に取り込み、フィン(41)が最上部付近に達した時点でフィン(41)から放出して、第１液体(45A)内に沈下させるようにする。このようにすることにより、粒(58)の発生と併せて演出効果をより高めることができる。また、小片(59A)には色々な色、形を施しても良い。
【００６３】
（vi）第２の実施の形態における回転盤(28)の収容空間(40)に、第２液体(45B)より比重が小さい小片(59B)（図５に示す）を第１、２液体(45A)(45B)とともに封入し、収容空間(40)の上部に浮上した小片(59B)を、回転盤(28)の回転に伴ってフィン(41)内に取り込み、フィン(41)が最下部付近に達した時点でフィン(41)から放出されて、第２液体(45B)内を浮上させるようにすること。このようにすることにより、粒(58)の発生と併せて演出効果をより高めることができる。また、小片(59A)には色々な色、形を施しても良い。
【図面の簡単な説明】
【００６４】
【図１】本発明の第１の実施形態における遊技機の一部分を構成する遊技盤の正面図である。
【図２】図１におけるII−II線に沿う縦断面拡大図である。
【図３】液体の粒発生装置の分解斜視図である。
【図４】回転盤の正面図である。
【図５】本発明の第２の実施形態として示す回転盤の正面図である。
【符号の説明】
【００６５】
(6a)(6b)(6c)図柄（識別情報）
(10)遊技盤
(11)外側ガイドレール
(12)内側ガイドレール
(13)遊技領域
(14)特別図柄表示装置
(15)特別図柄始動口
(15a)(15b)可動片
(17a)普通図柄表示領域
(18)変動入賞装置
(19)大入賞口
(20)ランプ付き風車
(21)アウト口
(22)ランプ表示装置
(25)液晶表示装置
(26)液体の粒発生装置
(27)支持フレーム
(28)回転盤
(29)窓
(30)取付フレーム
(31)環状フレーム
(32)円盤本体
(32a)外周端面
(33)蓋体
(34)環状リブ
(35)凹部
(36)歯車部
(40)収容空間
(41)フィン
(42)開口部
(43)仕切突片
(44)補助フィン
(45A)(45B)液体
(47a)(47b)ロール
(48)支持ピン
(49)ホルダ
(50)シャフト
(51)ボス
(52)モータ
(52a)回転軸
(53)ピニオン
(54)発光ダイオード（発光源）
(55)パネル
(56)表示窓
(57)飾り枠
(57a)開口窓
(58)粒
(59A)(59B)小片
(60)ステージ
【図１】
2006116102.tif 000003
【図２】
2006116102.tif 000004
【図３】
2006116102.tif 000005
【図４】
2006116102.tif 000006
【図５】
2006116102.tif 000007